(57)【要約】【課題】  ユーザの負担を増やさずに、プリンタドライバに関する情報が得られるようにする。【解決手段】  プリンタドライバのプロパティ設定画面に、設定情報を表示させるボタンを設け、該ボタンを押下して設定情報を表示させた状態で、コピーボタンを押すと、プリンタドライバの設定情報と、その動作環境などのプリンタドライバの関連情報とがクリップボードにコピーされる。【選択図】  図１５
2006309800.tif 000002
【特許請求の範囲】
【請求項１】
プリンタが処理するデータを送信する情報処理装置であって、
前記プリンタに対してユーザが設定を行うための複数の設定画面を介して設定された設定情報を格納する設定情報格納手段と、
前記複数の設定画面に設けられた、設定情報を表示させるボタンのいずれかがユーザによって操作されたときに、前記設定情報格納手段に格納された前記設定情報を設定情報表示画面に表示する情報表示手段と、
前記設定情報表示画面のいずれかを介してユーザによって予め定められた操作が行われたときに、前記設定情報を出力する情報出力手段と、を備えていることを特徴とする情報処理装置。
【請求項２】
前記情報出力手段は、前記設定情報を、前記情報処理装置のオペレーティングシステムが管理する記憶領域に出力することを特徴とする請求項１に記載の情報処理装置。
【請求項３】
プリンタドライバ及び前記情報処理装置のうち少なくともいずれかに関連する関連情報を取得する関連情報取得手段を有し、
前記関連情報が、前記プリンタドライバを構成するモジュールの格納されたファイル名及びバージョン情報を含み、
前記情報出力手段が、更に、前記関連情報を出力することを特徴とする請求項１又は２に記載の情報処理装置。
【請求項４】
前記関連情報が、前記情報処理装置のオペレーティングシステムに関する情報、前記情報処理装置にインストールされている他のプリンタドライバに関する情報、前記情報処理装置にインストールされているアプリケーションに関する情報、前記プリンタドライバの更新履歴に関する情報、前記プリンタドライバのインストール方法に関する情報のうち、少なくともいずれかを含むことを特徴とする請求項３に記載の情報処理装置。
【請求項５】
前記情報表示手段は、前記複数の設定画面それぞれに設けられた、設定情報を表示させるボタンのいずれかがユーザによって操作されたときに、前記設定情報格納手段に格納された前記設定情報を、前記複数の設定画面それぞれに対応する複数の設定情報表示画面に表示することを特徴とする請求項１に記載の情報処理装置。
【請求項６】
前記情報表示手段は、前記複数の設定画面それぞれに設けられた、設定情報を表示させるボタンのいずれかがユーザによって操作されたときに、前記設定情報格納手段に格納された前記設定情報を、前記複数の設定画面それぞれに対応する複数の設定情報表示画面に表示し、
前記情報出力手段は、前記複数の設定情報表示画面のいずれかを介してユーザによって予め定められた操作が行われたときに、前記複数の設定画面の複数の設定情報を出力することを特徴とする請求項１に記載の情報処理装置。
【請求項７】
プリンタと接続可能なコンピュータ装置にインストールされ、双方向インタフェースを介して前記プリンタが処理することができるデータを送信するプリンタドライバにおける情報出力方法であって、
前記プリンタに対してユーザが設定を行うための複数の設定画面を介して設定された設定情報を格納する設定情報格納工程と、
前記複数の設定画面に設けられた、設定情報を表示させるボタンのいずれかがユーザによって操作されたときに、前記設定情報格納工程で格納された前記設定情報を設定情報表示画面に表示する情報表示工程と、
前記設定情報表示画面のいずれかを介してユーザによって予め定められた操作が行われたときに、前記設定情報を出力する情報出力工程と、を備えていることを特徴とするプリンタドライバにおける情報出力方法。
【請求項８】
前記情報出力工程で、前記設定情報を、前記コンピュータ装置のオペレーティングシステムが管理する記憶領域に出力することを特徴とする請求項７に記載のプリンタドライバにおける情報出力方法。
【請求項９】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示することを特徴とする請求項７に記載のプリンタドライバにおける情報出力方法。
【請求項１０】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示し、
前記情報出力工程は、前記複数の設定情報表示画面のいずれかを介してユーザによって予め定められた操作が行われたときに、前記複数の設定画面の複数の設定情報を出力することを特徴とする請求項７に記載のプリンタドライバにおける情報出力方法。
【請求項１１】
プリンタが処理するデータを送信するコンピュータで実行されるプログラムであって、
前記プリンタに対してユーザが設定を行うための複数の設定画面を介して設定された設定情報を格納する設定情報格納工程と、
前記複数の設定画面に設けられた、設定情報を表示させるボタンのいずれかがユーザによって操作されたときに、前記設定情報格納工程で格納された前記設定情報を設定情報表示画面に表示する情報表示工程と、
前記設定情報表示画面のいずれかを介してユーザによって予め定められた操作が行われたときに、前記設定情報を出力する情報出力工程と、をコンピュータに実行させることを特徴とするプログラム。
【請求項１２】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示することを特徴とする請求項１１に記載のプログラム。
【請求項１３】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示し、
前記情報出力工程は、前記複数の設定情報表示画面のいずれかを介してユーザによって予め定められた操作が行われたときに、前記複数の設定画面の複数の設定情報を出力することを特徴とする請求項１１に記載のプログラム。
【請求項１４】
プリンタが処理するデータを送信するコンピュータで実行されるプログラムを記憶した記憶媒体であって、該プログラムは、
前記プリンタに対してユーザが設定を行うための複数の設定画面を介して設定された設定情報を格納する設定情報格納工程と、
前記複数の設定画面それぞれに設けられた、設定情報を表示させるボタンのいずれかがユーザによって操作されたときに、前記設定情報格納工程で格納された前記設定情報を設定情報表示画面に表示する情報表示工程と、
前記設定情報表示画面のいずれかを介してユーザによって予め定められた操作が行われたときに、前記設定情報を出力する情報出力工程と、をコンピュータに実行させることを特徴とする記憶媒体。
【請求項１５】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示することを特徴とする請求項１４に記載の記憶媒体。
【請求項１６】
前記情報表示工程は、前記複数の設定画面それぞれに設けられた、設定情報を表示させるボタンのいずれかがユーザによって操作されたときに、前記設定情報格納工程で格納された前記設定情報を、前記複数の設定画面それぞれに対応する複数の設定情報表示画面に表示し、
前記情報出力工程は、前記複数の設定情報表示画面のいずれかを介してユーザによって予め定められた操作が行われたときに、前記複数の設定画面の複数の設定情報を出力することを特徴とする請求項１４に記載の記憶媒体。
【発明の詳細な説明】
【技術分野】
【０００１】
本発明は、情報処理装置、及び、プリンタドライバにおける情報出力方法に関し、特に、ユーザの負担を増やさずに、サービス等に有用なプリンタドライバに関する情報を得ることができる、情報処理装置、及び、プリンタドライバにおける情報出力方法に関するものである。
【背景技術】
【０００２】
例えばワードプロセッサ、パーソナルコンピュータ、ファクシミリ等に於ける情報出力装置として、所望される文字や画像等の情報を用紙やフィルム等画面状の記録媒体に記録を行うプリンタが広く使用されている。
【０００３】
プリンタを使用するコンピュータ装置には、プリンタを制御するためのソフトウエアとして、プリンタドライバがインストールされる。プリンタドライバは、アプリケーション・ソフトやＯＳから受け取った文字や画像のデータをプリンタが処理することのできるデータに変換し、プリンタの状態を見ながらデータを送信する役割を果たす。同じ性能のハードウエアを使っていても、プリンタドライバの性能によって印刷速度、品質が変わることがある。
【０００４】
最近のプリンタドライバには２ページ、４ページ分のデータを縮小して１枚の用紙に印刷する割り付け機能や、製本のためにとじしろを付ける機能、プリンタの状態を監視して用紙切れやトナー切れを警告する機能など、数多くの付加機能が備わっている。また、カラー・プリンタ用のドライバでは色合いや明るさを細かく設定できる。
【０００５】
近年、特にオフィスなどには複写機やファクシミリ、プリンタなどの機能を統合した複合機が導入されている。一般に、このような複合機は、ＬＡＮ等に接続されて複数のコンピュータ装置の共有資源（ネットワーク・プリンタ）として使用される。このようなオフィス内のＬＡＮでは、複数台のネットワーク・プリンタを多数のコンピュータ装置で共有するように構成されているものも増えている。
【０００６】
１台のコンピュータから、印刷する文書の種類やプリンタの負荷状況等に応じて、出力先のプリンタを適宜選択するような構成とするためには、１台のコンピュータ装置にそれぞれのプリンタのプリンタドライバをインストールすることとなる。
【０００７】
また、同じプリンタに対しても、ＯＳ等の仕様が異なるとプリンタドライバの仕様も異なるのが一般的であり、各コンピュータ装置の仕様に応じたプリンタドライバをインストールする必要がある。
【発明の開示】
【発明が解決しようとする課題】
【０００８】
このようにプリンタの使用環境が複雑化しているため、プリンタドライバの操作や設定に関するトラブルも増えている。トラブルがユーザ自身で解決できない場合には、ユーザはメーカのサービス・センター等に連絡を取り、状況を伝えてサポートを仰ぐこととなる。
【０００９】
その際にユーザは、プリンタドライバの設定情報を伝える必要があり、画面に表示させてメモを取ったり、実際に操作しながらその設定情報を伝えたりする場合が多い。
【００１０】
しかしながら、十分なサポートをするためには、ユーザが画面上で確認できる情報だけでは不十分であり、例えばプリンタドライバが必要とする周辺モジュールのバージョンや稼動しているオペレーティングシステム（ＯＳ）の情報、更にプリンタドライバのアップデート履歴やインストールの際にどのような手段を選択したかという情報が必要となる場合がある。
【００１１】
これらの情報は、ユーザ自身で記録や整理をしていないと入手することが非常に困難であり、このため電話やインターネットを介したいわゆるオンライン・サポートで、プリンタドライバに関するトラブルを解決するのが困難であるという問題がある。
【００１２】
本発明は以上のような状況に鑑みてなされたものであり、ユーザの負担を増やさずに、サービス等に有用なプリンタドライバに関する情報を得ることができる、プリンタドライバ及びプリンタドライバにおける情報出力方法を提供することを目的とする。
【課題を解決するための手段】
【００１３】
上記目的を達成するために本発明に係る情報処理装置の一態様は、プリンタが処理するデータを送信する情報処理装置であって、
前記プリンタに対してユーザが設定を行うための複数の設定画面を介して設定された設定情報を格納する設定情報格納手段と、
前記複数の設定画面に設けられた、設定情報を表示させるボタンのいずれかがユーザによって操作されたときに、前記設定情報格納手段に格納された前記設定情報を設定情報表示画面に表示する情報表示手段と、
前記設定情報表示画面のいずれかを介してユーザによって予め定められた操作が行われたときに、前記設定情報を出力する情報出力手段と、を備えている。
【００１４】
また、上記目的を達成する本発明に係るプリンタドライバにおける情報出力方法の一態様は、プリンタと接続可能なコンピュータ装置にインストールされ、双方向インタフェースを介して前記プリンタが処理することができるデータを送信するプリンタドライバにおける情報出力方法であって、
前記プリンタに対してユーザが設定を行うための複数の設定画面を介して設定された設定情報を格納する設定情報格納工程と、
前記複数の設定画面に設けられた、設定情報を表示させるボタンのいずれかがユーザによって操作されたときに、前記設定情報格納工程で格納された前記設定情報を設定情報表示画面に表示する情報表示工程と、
前記設定情報表示画面のいずれかを介してユーザによって予め定められた操作が行われたときに、前記設定情報を出力する情報出力工程と、を備えている。
【発明の効果】
【００１５】
以上説明したように、本発明によれば、プリンタドライバとその動作環境等の関連情報とが、簡単な操作で得られ、例えば、プリンタドライバのトラブルが生じた際等にサービスセンター等に伝えることができるので、ユーザの負担を増やさずに、プリンタドライバに関するトラブルに効率的に対処することが可能となる。
【発明を実施するための最良の形態】
【００１６】
以下、本発明の好適な実施形態について添付図面を参照して詳細に説明する。
【００１７】
図１は本発明に係るプリントシステムの概要を示す図であり、図中１０１及び１０２はクライアントコンピュータであり、１０３はスキャナ、コピー、プリンタ、ＦＡＸの機能を持つ複合機であり、以下では単にプリンタとも称する。また、１０４はクライアントコンピュータ１０１及び１０２とプリンタ１０３とを接続する、ＬＡＮ等のコンピュータネットワークである。
【００１８】
クライアントコンピュータ１０１及び１０２には、プリンタ１０３用のプリンタドライバがインストールされており、動作中のアプリケーションから印刷命令が出されると、プリンタドライバが起動され、文書又は画像データがプリンタ１０３で印刷可能な形式の印刷データに変換され、コンピュータネットワーク１０４を介してプリンタ１０３に送信される。そして、受信した印刷データに応じてプリンタ１０３が印刷を実行する。
【００１９】
クライアントコンピュータ１０１及び１０２は、一般的な情報処理装置の構成を有するコンピュータ装置であればどのような形態のものでもよいが、ここでは、出力装置として表示画面を備え、ネットワークに接続可能な通信装置を備えたものを例に挙げて説明する。
【００２０】
図１３は、クライアントコンピュータとして可能な一般的な情報処理装置の構成を示すブロック図である。図示されたように、情報処理装置は、装置全体を制御するＣＰＵ１３０１と、オペレータが指示や情報を入力するためのキーボードやマウス等の入力装置１３０２と、ＣＰＵ１３０１がアクセスするＲＯＭやＲＡＭ等の主記憶装置１３０３と、オペレータに情報を提供するモニタ等の表示画面である出力装置１３０４と、ハードディスク並びに、フロッピー（登録商標）ディスク又はＣＤ−ＲＯＭ等の取り外し可能な記憶媒体に対して情報の読み書きを行う補助記憶装置１３０５と、コンピュータネットワーク１０４にアクセスする通信装置１３０６とを備えている。また、１３０７は、装置内の各部を接続するバスである。
【００２１】
また、プリンタ１０３は、ネットワークを介して印刷データを受信できるものであればどのようなプリンタでもよいが、ここでは、スキャナ、コピー、プリンタ、ＦＡＸの機能を持つ複合機を例に挙げて説明する。
【００２２】
図１４は、プリンタ１０３として使用可能な複合機の構成例を示すブロック図である。図示されたように複合機は、原稿読み取り部（リーダー）１４０１、制御部１４０２、プリンタ部１４０３、及び電源部１４０４とから構成されている。
【００２３】
原稿読み取り部１４０１において、１５０１は原稿読み取り部の制御を行うリーダーコントローラ、１５０７は原稿送り装置、１５０６は読み取り光学系、１５０３は原稿送り装置１５０７及び光学系１５０６を駆動するモータ、１５０２はモータ１５０３のモータードライバ、１５０５は原稿からの反射光を電気信号に変換するＣＣＤ、１５０４はＣＣＤから出力される信号に画像処理を行うリーダー画像処理部である。１５０８及び１５０９は、それぞれリーダーコントローラ１５０１用のＲＯＭ及びＲＡＭである。
【００２４】
制御部１４０２において、１５１０は複合機全体の制御を行うシステムコントローラ、１５１１は起動用の初期プログラムが内蔵されたＢｏｏｔ用ＲＯＭ、１５１２はＳＲＡＭ、１５１３は制御用のプログラムデータ、ワーク用メモリ、及びテンポラリーな画像データ格納用のＤＲＡＭ、１５１４はコンピュータネットワーク１０４にアクセスするためのＬＡＮボード、１５１６はＦＡＸボード、１５１９は装置の状態の表示やユーザがコピーなど動作指示を行うための表示／操作部である。１５１７は起動プログラムや保存用の画像データを格納するハードディスク、１５１５はハードディスクの読み書き制御を行うハードディスクコントローラ、１５１８はプリンタに出力すべき画像データの信号処理を行うプリンタ画像処理部である。
【００２５】
プリンタ部１４０３において、１５２１は印刷する画像データに従ってレーザー制御を行うレーザードライバ、１５２２はプリンタエンジンであり、１５２０はレーザードライバ１５２１及びプリンタエンジン１５２２の制御を行うプリンタコントローラ、１５２３及び１５２４はそれぞれプリンタコントローラ１５２０用のＲＯＭ及びＲＡＭである。
【００２６】
電源部１４０４において、１５３０は原稿読み取り部１４０１及びプリンタ部１４０３に電源を供給する電源ユニット１、１５３１は制御部１４０２に電源を供給する電源ユニット２である。
【００２７】
このような構成の複合機にネットワーク１０４を介してクライアントコンピュータ１０１又は１０２からプリントすべき印刷データが送られると、ＬＡＮボード５１４を経由してＤＲＡＭ５１３に印刷データが格納される。そのデータはシステムコントローラ５１０によりビットマップの画像データに展開されて再度ＤＲＡＭ５１３に格納される。ＤＲＡＭ５１３に格納された画像データは、システムコントローラ５１０経由でプリンタ画像処理部５１８でガンマ変換等の処理が施され、プリンタコントローラ５２０の制御により、レーザードライバ５２１とプリンタエンジン５２２によってプリント出力される。
【００２８】
また、このような複合機には、一般的にオプションとして両面印刷、ソーティング、製本や綴じなどのフィニッシング処理を行うフィニッシャが接続可能となっているが、以下の説明ではフィニッシャが接続された状態であると想定する。
【００２９】
以下、上記で説明したクライアントコンピュータ１０１及び１０２にインストールされた、複合機であるプリンタ１０３用のプリンタドライバのユーザインタフェースについて説明する。
【００３０】
図２から図６は、ユーザがプリンタのプロパティ（属性）を設定する際にプリンタドライバによって表示される設定画面であり、図２はページ設定関連のPage Setup画面、図３はフィニッシング設定関連のFinishing画面、図４は給紙段設定関連のPaper Source画面、図５は印刷品質設定関連のQuality画面、図６はプリンタ状態設定関連のConfiguration画面をそれぞれ示している。
【００３１】
図２のページ設定を行なうPage Setup画面２０１が表示された状態で、２０９の用紙サイズ設定、２１０の部数設定、２１１の用紙方向設定、２１２のページレイアウト設定、２１３のスケーリング設定、及び２１４のウォータマーク設定が、ユーザがマウス等のポインティングデバイスで選択することによりできる。２０７のイメージ描画領域には、現在の機器構成の状態やページ設定の状態がイラストで表示される。
【００３２】
また、２０８のVeiwSettingsボタンは、プリンタドライバの設定情報を確認するためのダイアログボックスを表示させるボタンであり、このダイアログボックスについては後で詳細に説明する。２１６のカスタム用紙設定ボタンは、カスタムサイズ用紙を設定するダイアログボックスを表示するためのボタン、２１５のデフォルト設定ボタンは、PageSetupに関する設定を工場出荷時のデフォルトに戻すボタンである。更に、２１８は設定を有効にして処理を終了するＯＫボタン、２１９は設定を無効にして処理を終了するキャンセルボタンである。
【００３３】
なお、Page Setup画面２０１から他の設定画面へ移行できるように、それぞれの設定項目が示された見出しボタン２０２〜２０６が設けられており、ユーザがポインティングデバイスでいずれかの見出しボタンを押下（クリック）すると、対応した画面が表示される。
【００３４】
図３のフィニッシング設定を行なうFinishing画面３０１が表示された状態で、３０９の片面／両面／製本設定、３１０の綴じ位置設定、及び３１１のフィニッシング設定が、ユーザがマウス等のポインティングデバイスで選択することによりできる。３０７のイメージ描画領域には、図２のPageSetup画面２０１のイメージ描画領域２０７と同様に、現在の複写機機器構成の状態や、ページ設定の状態が表示される。
【００３５】
また、３０８のVeiwSettingsボタンは、図２のPageSetup画面２０１のViewSettingsボタン２０８と同様である。また、３１２のステープル位置指定ボタンは、ステープルの位置を指定するためのダイアログボックスを表示するボタン、３１４の詳細設定ボタンは、より高度な設定を行なうためのダイアログボックスを表示するボタン、３１３のデフォルト設定ボタンは、Finishingに関する設定を工場出荷時のデフォルトに戻すボタンである。また、３１５は設定を有効にして処理を終了するＯＫボタン、３１６は設定を無効にして処理を終了するキャンセルボタンである。
【００３６】
なお、Finishing画面３０１から他の設定画面へ移行できるように、それぞれの設定項目が示された見出しボタン３０２〜３０６が設けられており、ユーザがポインティングデバイスでいずれかの見出しボタンを押下すると、対応した画面が表示される。
【００３７】
図４の給紙設定を行なうPaper Source画面４０１が表示された状態で、４０９の給紙指定方法の選択、４１０の給紙段指定方法の選択、及び４１１の給紙段の選択が、ユーザがマウス等のポインティングデバイスで選択することによりできる。４０７のイメージ描画領域には、図２のPageSetup画面２０１のイメージ描画領域２０７と同様に、現在の複写機機器構成の状態や、ページ設定の状態が表示される。
【００３８】
また、４０８のVeiwSettingsボタンは、図２のPageSetup画面２０１のViewSettingsボタン２０８と同様である。４１２のデフォルト設定ボタンは、Paper Sourceに関する設定を工場出荷時のデフォルトに戻すボタンである。また、４１３は設定を有効にして処理を終了するＯＫボタン、４１４は設定を無効にして処理を終了するキャンセルボタンである。
【００３９】
なお、Paper Source画面４０１から他の設定画面へ移行できるように、それぞれの設定項目が示された見出しボタン４０２〜４０６が設けられており、ユーザがポインティングデバイスでいずれかの見出しボタンを押下すると、対応した画面が表示される。
【００４０】
図５の印刷品質設定を行なうQuality画面５０１が表示された状態で、５０９の画像のネガ／ポジ、ミラー反転設定、５１０のハーフトーン設定、及び５１１の手動グレースケール設定が、ユーザがマウス等のポインティングデバイスで選択することによりできる。５０７のイメージ描画領域には、図２のPageSetup画面２０１のイメージ描画領域２０７と同様に、現在の複写機機器構成の状態や、ページ設定の状態が表示される。
【００４１】
また、５０８のVeiwSettingsボタンは、図２のPageSetup画面２０１のViewSettingsボタン２０８と同様である。５１２は出力フォーマット設定のダイアログボックスを表示させるボタン、５１３の詳細設定ボタンは、印刷品質に関わる詳細な設定ダイアログボックスを表示させるボタン、５１４のデフォルト設定ボタンは、Quality画面の設定を工場出荷時のデフォルトに戻すボタンである。また、５１５は設定を有効にして処理を終了するＯＫボタン、５１６は設定を無効にして処理を終了するキャンセルボタンである。
【００４２】
なお、Quality画面５０１から他の設定画面へ移行できるように、それぞれの設定項目が示された見出しボタン５０２〜５０６が設けられており、ユーザがポインティングデバイスでいずれかの見出しボタンを押下すると、対応した画面が表示される。
【００４３】
図６のプリンタ状態設定を行なうConfiguration画面６０１が表示された状態は、ユーザがマウス等のポインティングデバイスでチェックボックスを適宜選択することにより、デバイスの構成状況が設定できる。６０８ではサイドペーパデッキ装着の有無、６０９では排紙オプション機器装着の有無、６１０ではドキュメントインサータ装置装着の有無を設定する。６１１はホスト側で印刷ジョブを一度スプールするかどうかを設定する。６１２はジョブアカウンティングを行なうかどうかを設定する。
【００４４】
また、このConfiguration画面６０１では、イメージ描画領域６０７には現在の複写機機器構成が表示される。また、このConfiguration画面６０１での設定には印刷関連の設定がないため、他の画面にあるViewSettingsボタンはない。もちろん、この画面にVeiwSettingsボタンを配置しても構わない。また、６１３は設定を有効にして処理を終了するＯＫボタン、６１４は設定を無効にして処理を終了するキャンセルボタンである。
【００４５】
なお、Configuration画面６０１から他の設定画面へ移行できるように、それぞれの設定項目が示された見出しボタン６０２〜６０６が設けられており、ユーザがポインティングデバイスでいずれかの見出しボタンを押下すると、対応した画面が表示される。
【００４６】
次に、図７から図１１を参照して、２０１、３０１、４０１、５０１の各画面で、２０８、３０８、４０８、５０８のVeiwSettingsボタンを押下したときにそれぞれ表示されるダイアログボックスについて説明する。
【００４７】
図７は、PageSetup画面２０１でViewSettingsボタン２０８を押下したときに表示されるダイアログボックスであり、７０１はPageSetupの設定情報表示画面であり、７０７はPageSetup画面２０１で設定された現在の設定情報を表示する設定情報表示領域であり、PageSetup画面で設定できる各項目について、左側には設定の項目名、右側には現在の設定の内容がテキスト形式で表示される。
【００４８】
例えば、図２のPage Setup画面２０１において、Page Size２０９はLetterサイズに設定されているため、設定情報ダイアログボックス７０１のPage Setup設定情報表示画面７０２の一行目にある項目名"Page Size"の内容として"Letter" と表示される。これは他の設定についても同様である。なお、Page Setup画面２０１からさらに表示されるダイアログボックス、例えばカスタム用紙サイズ設定ダイアログボックス２１６において設定された内容も、Page Setup設定情報表示画面７０２の設定情報表示領域７０７に同じレベルで表示される。
【００４９】
また、７０８の設定コピーボタンは、PageSetup設定情報表示画面７０２に表示されている内容だけでなく、後述するFinishing設定情報表示画面、PaperSource設定情報表示画面、Quality設定情報表示画面、Configuraiton設定情報表示画面７０６で表示される内容、及びプリンタドライバの周辺情報をオペレーティングシステムに備えられているクリップボードにコピーするものである。なお、このボタンを押下したときの動作及びクリップボードへコピーされる内容については後で詳しく説明する。また、７０９は設定表示ダイアログボックス７０１を閉じるためのＯＫボタンである。
【００５０】
なお、PageSetupの設定情報表示画面７０１から他の設定情報表示画面へ移行できるように、それぞれの設定名が示された見出しボタン７０２〜７０６が設けられており、ユーザがポインティングデバイスでいずれかの見出しボタンを押下すると、対応した設定情報表示画面が表示される。
【００５１】
各設定画面で設定され各設定情報表示画面に表示される設定情報は、いずれもプリンタドライバが管理する所定の記憶領域に格納されるが、格納される形式等については特に問わない。例えば、各画面毎での表示を容易とするようにテーブル形式で特定のファイルに格納してもよい。
【００５２】
図８から図１１は、Finishing画面３０１、Paper Source画面４０１、Quality画面５０１、Configuration画面６０１それぞれにおいて、３０８、４０８、５０８、６０８のViewSettingsボタンを押下したときに表示されるダイアログボックスを示しており、これらのダイアログボックスの設定情報表示画面に表示される内容は、図７に関して説明した内容と同様である。
【００５３】
次に、７０１、８０１、９０１、１００１、１１０１のそれぞれの設定情報表示画面において、７０８、８０８、９０８、１００８、１１０８の設定情報コピーボタンが押下された時の動作について説明する。
【００５４】
ユーザがこのボタンを押下すると、プリンタドライバは７０７から１１０７の各設定情報表示領域に表示されているテキストに加え、プリンタの名称、プリンタドライバの名称、プリンタドライバ本体を含む構成モジュールのファイル名及びバージョン番号等の関連情報をテキスト形式で取得する。そして取得した情報を、オペレーティングシステムに用意されているＡＰＩ（Ａｐｐｌｉｃａｔｉｏｎ  Ｐｒｏｇｒａｍｍｉｎｇ  Ｉｎｔｅｒｆａｃｅ）を利用して、オペレーティングシステムに備えられているクリップボードにコピーする。
【００５５】
これらの関連情報には、上記設定情報とは別の記憶領域に格納されているものも含まれる。例えば、インストールされたソフトウェア毎に、ＯＳによって例えばファイル形式で管理されている情報も含まれる。
【００５６】
なお、クリップボードとは、ＯＳが備えるデータをメインメモリに一時的に保持（格納）するための機能である。一般的な使用方法としては、表示されている文字（テキスト）や図形をユーザが指定して「切り取り（カット）」や「コピー」等のコマンドを実行することにより、指定された文字や図形のデータがクリップボードに一時的に保持される。その後、「貼り付け」あるいは「ペースト」を実行すると、クリップボードに保持されたデータがアプリケーションに転送され、このようにしてアプリケーション間でのデータの転送が可能となる。
【００５７】
図１２Ａから図１２Ｃは、上記の設定情報コピーボタンが押下された際に、クリップボードにコピーされる内容の例を示す図である。図中、１２０１がプリンタ名称及びプリンタドライバ名称、１２０２はPage Setup設定情報表示領域７０７の内容、１２０３はFinishing設定情報表示領域８０７の内容、１２０４はPaper Source設定情報表示領域９０７の内容、１２０５はQuality設定情報表示領域１００７の内容、１２０６はConfiguration設定情報表示領域１１０７の内容である。また、１２０７はプリンタドライバ本体を含む、プリンタドライバの構成モジュールのファイル名とバージョン情報である。
【００５８】
ここで、図１５のフローチャートを参照して、本実施形態におけるプリンタドライバの動作について再度説明する。
【００５９】
ユーザによりプリンタドライバのプロパティが選択されると、デフォルトで表示される画面（例えば２０１）を表示し（ステップＳ１５０１）、ＯＫ又はCancelボタンが押下されたかどうかをチェックする（ステップＳ１５０２）。いずれのボタンも押下されていない場合には画面選択の見出しボタンが押下されたかどうかをチェックし（ステップＳ１５０３）、いずれかの見出しボタンが押下された場合には、対応する設定画面に表示を切り換える（ステップＳ１５０４）。なお、図には示していないが、この状態で必要に応じて、通常のプロパティに関する設定の選択や変更が行われる。
【００６０】
設定画面においてViewSettingsボタンが押下されたかどうかをチェックし（ステップＳ１５０５）、押下されていない場合には、ステップＳ１５０２に戻って処理を繰り返し、押下された場合には現在表示している設定画面に対応した設定情報を表示する（ステップＳ１５０６）。
【００６１】
設定情報を表示した後、表示する設定情報を選択する見出しボタンが押下されたかどうかをチェックし（ステップＳ１５０７）、いずれかの見出しボタンが押下されていれば設定情報表示画面を切り換える（ステップＳ１５０８）。そして、Copyボタンが押下されたかどうかをチェックし（ステップＳ１５０８）、押された場合には各設定情報表示領域に表示されている情報と、上述の関連情報とをテキスト形式で取得し（ステップＳ１５０９）、取得したテキストをクリップボードにコピーする（ステップステップＳ１５１０）。
【００６２】
ステップＳ１５０８でCopyボタンが押されていない場合には、ＯＫボタンが押下されたかどうかをチェックする（ステップＳ１５１１）。ＯＫボタンが押された場合には設定情報の表示を終了し、ステップＳ１５０２に戻って処理を繰り返す。
【００６３】
ステップＳ１５１１でＯＫボタンが押されていない場合、並びにステップＳ１５１０での処理が終了した後には、ステップＳ１５０７へ戻って処理を繰り返す。
【００６４】
一方、ステップＳ１５０２で、ＯＫ又はCancelボタンが押下された場合には、設定に変更があれば更新し、なければそのまま終了処理を行い（ステップＳ１５１２）プロパティに関する処理を終了する。
【００６５】
以上説明したように本実施形態によれば、簡単な操作でプリンタドライバの設定情報と関連する情報とがクリップボードにコピーされる。
【００６６】
このようにすると、ユーザは、必要があればこれらの情報を印刷したりあるいは電子データとして、例えばサービスセンターなどに伝えることができる。具体的には、ユーザはクリップボードにコピーされたプリンタドライバの周辺情報（プリンタドライバのバージョン情報、プリンタのバージョン情報、プリンタのオプション情報等）やプリンタドライバで設定された設定情報をファイルにコピーし、そのファイルを添付した電子メールをサービスセンタに送信したり、またそのファイルを印刷してサービスセンターにＦＡＸすることにより、簡単にプリンタドライバに関する情報をサービスセンターに伝えることができる。
【００６７】
従って、ユーザの負担を増やさずに、プリンタドライバに関するトラブルに効率的に対処することが可能となる。
【００６８】
＜変形例＞
上記実施形態では、プリンタ名称、プリンタドライバ名称、各設定情報表示領域の内容、プリンタドライバの構成モジュール名及びバージョン情報を、７０８、８０８、９０８、１００８、１１０８のいずれかの設定情報コピーボタンを押下したときにコピーされる対象としているが、これ以外にもオペレーティングシステムのバージョンやユーザカスタマイズ情報、共存しているプリンタドライバの名称やファイルバージョンなどの情報、インストールされているアプリケーションの名称やバージョン情報、対象となっているプリンタドライバのアップデート履歴、また、どのようにインストールしたか、例えば、システム標準のインストールを行なったのか、ネットワーク経由でインストールを行なったのか、あるいは独自のインストーラを用いてインストールしたのかなどのインストール種別情報や、その他印刷環境に関わる情報を付加してもよい。
【００６９】
また、上記実施形態では、７０８、８０８、９０８、１００８、１１０８のいずれかの設定情報コピーボタンの押下により、オペレーティングシステムのクリップボードに設定情報をコピーするものとしたが、この設定情報の出力先は、ファイル、メールソフトなどのアプリケーションのドキュメント、またはネットワークを経由してサポートセンターの設定情報受信サーバに出力、あるいはテキスト情報を扱える他の出力先としてもよい。
【００７０】
更に、設定情報コピーボタンの押下により、所定の名称のテキストファイルを作成し、これら設定情報を該テキストファイルに書込むようにしてもよい。この場合は、既にそのファイルが存在するときには、上書きして更新するのがよい。
【００７１】
また、設定情報コピーボタンを押下した場合に、ユーザが出力先を指定できるようにし、指定された出力先に出力するように構成してもよい。
【００７２】
更にまた、上記実施形態では、ユーザがコピーボタンを押下した後に、関連情報を取得するものとしたが、予め関連情報を取得して所定の領域やファイルに格納しておいても良い。
【００７３】
＜他の実施形態＞
上記の実施形態では、本発明に係るプリンタとして、ネットワークを介して印刷データを受信できる、スキャナ、コピー、プリンタ、ＦＡＸの機能を持つ複合機を例に挙げて説明したが、本発明はコンピュータ装置にプリンタドライバをインストールして使用するように構成された、あらゆる種類のプリンタとそのプリンタドライバに適用できる。もちろん、ネットワーク経由で印刷データを受信するプリンタだけでなく、コンピュータ装置とシリアルに接続されて使用されるプリンタでもよい。
【００７４】
本発明のプリンタドライバは、通常はプログラムの形態で供給されるが、このプログラムのコードを記憶した記憶媒体も本発明に含まれる。プログラムコードを記憶するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７６】
本発明を上記記憶媒体に適用する場合、その記憶媒体には、先に説明した（図１５に示す）フローチャートに対応するプログラムコードが格納されることになる。
【図面の簡単な説明】
【００７７】
【図１】本発明に係るプリントシステムの概略構成を示す図である。
【図２】本発明の実施形態のプリンタドライバのPageSetup画面を示す図である。
【図３】本発明の実施形態のプリンタドライバのFinishing画面を示す図である。
【図４】本発明の実施形態のプリンタドライバのPaperSouce画面を示す図である。
【図５】本発明の実施形態のプリンタドライバのQuality画面を示す図である。
【図６】本発明の実施形態のプリンタドライバのConfiguration画面を示す図である。
【図７】本発明の実施形態のPageSetupの設定情報表示画面を示す図である。
【図８】本発明の実施形態のFinishinの設定情報表示画面を示す図である。
【図９】本発明の実施形態のPaperSourceの設定情報表示画面を示す図である。
【図１０】本発明の実施形態のQualityの設定情報表示画面を示す図である。
【図１１】本発明の実施形態のConfigurationの設定情報表示画面を示す図である。
【図１２Ａ】、
【図１２Ｂ】、
【図１２Ｃ】設定情報コピーボタンが押下された際に、クリップボードにコピーされる内容の例を示す図である。
【図１３】本発明の実施形態のクライアントコンピュータの概略構成を示すブロック図である。
【図１４】本発明の実施形態のプリンタの概略構成を示すブロック図である。
【図１５】本発明の実施形態のプリンタドライバの動作を示すフローチャートである。
【符号の説明】
【００７８】
１０１、１０２  クライアントコンピュータ
１０３  プリンタ（複合機）
１０４  コンピュータネットワーク
２０１、３０１、４０１、５０１、６０１  プリンタドライバの設定画面
２０８、３０８、４０８、５０８、６０８  設定情報表示ボタン
７０１、８０１、９０１、１００１、１１０１  設定情報表示画面
７０７、８０７、９０７、１００７、１１０７  設定情報表示領域
７０８、８０８、９０８、１００８、１１０８  設定情報コピーボタン
１２０１  プリンタ名及びプリンタドライバ名称
１２０２  Page Setup設定情報
１２０３  Finishing設定情報
１２０４  Paper Source設定情報
１２０５  Quality設定情報
１２０６  Configuration設定情報
１２０７  プリンタドライバ構成モジュールのファイル名及びバージョン情報
【図１】
2006309800.tif 000003
【図２】
2006309800.tif 000004
【図３】
2006309800.tif 000005
【図４】
2006309800.tif 000006
【図５】
2006309800.tif 000007
【図６】
2006309800.tif 000008
【図７】
2006309800.tif 000009
【図８】
2006309800.tif 000010
【図９】
2006309800.tif 000011
【図１０】
2006309800.tif 000012
【図１１】
2006309800.tif 000013
【図１２Ａ】
2006309800.tif 000014
【図１２Ｂ】
2006309800.tif 000015
【図１２Ｃ】
2006309800.tif 000016
【図１３】
2006309800.tif 000017
【図１４】
2006309800.tif 000018
【図１５】
2006309800.tif 000019